(57)【要約】【課題】構造が簡単で、かつ、使い勝手も良好な錠付きケーブル装置の提供を目的とする。【解決手段】ケーブル１の端部に連結されるコンタクト２を保持するベース体３と、  ベース体３に装着され、ケーブル１の接続相手に形成された被係止部４に係脱するロック体５と、  ベース体３に回転操作可能に装着される適数のダイヤル６を所定回転位置に回転させた解錠状態においてロック体５の係止位置から係止解除位置への移動操作が可能となるダイヤル錠部７と、  を有する錠付きケーブル装置【選択図】  図１
2010160974.tif 000002
【特許請求の範囲】
【請求項１】
ケーブルの端部に連結されるコンタクトを保持するベース体と、
ベース体に装着され、ケーブルの接続相手に形成された被係止部に係脱するロック体と、
ベース体に回転操作可能に装着される適数のダイヤルを所定回転位置に回転させた解錠状態においてロック体の係止位置から係止解除位置への移動操作が可能となるダイヤル錠部と、
を有する錠付きケーブル装置。
【請求項２】
前記ダイヤル錠部は、
ストッパを備えて施解錠位置間をケーブル長方向に移動可能で、施錠位置において前記ロック体の係止解除位置への移動を規制する拘束体と、
前記ダイヤルに形成され、該ダイヤルが所定の回転位置まで回転した際にストッパの通過を許容するストッパ挿通部と、
を有する請求項１記載の錠付きケーブル装置。
【請求項３】
前記拘束体は、施錠位置において接続対象に当接して該接続対象のコンタクトとの接続位置への到達を規制する請求項２記載の錠付きケーブル装置。
【請求項４】
前記ダイヤルはベース体の外周に巻装される請求項１または２記載の錠付きケーブル装置。
【請求項５】
ケーブルの端部に固定されるプラグに装着されるプラグ用錠装置であって、
プラグを挟み付けてベース体を形成する一対の分割ケースと、
ベース体の前端部に保持され、コンセントに係脱するロック体と、
ベース体に外嵌合されて施錠位置と解錠位置との間を前後に移動操作可能で、施錠位置においてロック体の係止解除位置への移動を規制する拘束体と、
前記ベース体に空転可能に外嵌合され、所定の回転角度の場合にのみ拘束体の解錠位置への移動を許容するダイヤルと、
ベース体に固定されてダイヤルの後方への離脱を規制する底壁部材と、
を有するプラグ用錠装置。
【発明の詳細な説明】
【技術分野】
【０００１】
本発明は、施錠可能な錠付きケーブル装置に関するものである。
【背景技術】
【０００２】
充電中の抜去操作を防止するために施錠装置を付けたケーブルとしては、特許文献１に記載のものが知られている。この従来例において、充電ケーブルの先端には外周にスリーブを備えた充電器側コネクタが固定される。スリーブには、車両側コネクタのらせん溝に係止する係合ピンが突設されており、充電器側コネクタを車両側コネクタに差し込んだ後、スリーブを回転させると充電器側コネクタはらせん溝に生じる分力により車両がコネクタ方向に呼び込まれ、接続が完了する。
【０００３】
施錠装置は、充電器側コネクタ内部に配置され、イグニッションキーにより回転操作されるシリンダ錠、あるいは暗証番号等に対する認証成立を条件に動作するアクチュエータにより構成され、施錠状態においてスリーブの復帰回転を規制して充電器側コネクタの抜去を規制する。
【先行技術文献】
【特許文献】
【０００４】
【特許文献１】特開平６-３１０２０７号公報
【発明の概要】
【発明が解決しようとする課題】
【０００５】
しかし、上述した従来例において、シリンダ錠を使用するものにあっては、通常、ドアロック等の他のシリンダ錠とセットで用意されるイグニッションキーに合致するシリンダ錠を用意し、組み込むことは製造効率の低下をもたらす。
【０００６】
この問題は、イグニッションキーとは無関係のキーを解錠キーとして使用するシリンダ錠を使用することで解消可能であるが、この場合、解錠キーの管理が必要になり、取り扱いが面倒になる。
【０００７】
これに対し、暗証番号等を使用した認証装置を使用した場合、上述した問題はないが、駆動電源を要するために、構造が複雑になるという欠点がある。
【０００８】
本発明は、以上の欠点を解消すべくなされたものであって、構造が簡単で、かつ、使い勝手も良好な錠付きケーブル装置の提供を目的とする。また、本発明の他の目的は、上記錠付きケーブル装置に使用可能なプラグ用錠装置の提供にある。
【課題を解決するための手段】
【０００９】
本発明によれば上記目的は、
ケーブル１の端部に連結されるコンタクト２を保持するベース体３と、
ベース体３に装着され、ケーブル１の接続相手に形成された被係止部４に係脱するロック体５と、
ベース体３に回転操作可能に装着される適数のダイヤル６を所定回転位置に回転させた解錠状態においてロック体５の係止位置から係止解除位置への移動操作が可能となるダイヤル錠部７と、
を有する錠付きケーブル装置を提供することにより達成される。
【００１０】
錠付きケーブル装置は、施錠状態において、コネクタ等、ケーブル装置の接続相手に形成された被係止部４にロック体５を係止解除不能に係止させて離脱操作を規制し、ダイヤル６を所定角度回転させることによってロック体５に対する係止解除操作が可能になる。
【００１１】
ダイヤル錠部を施解錠手段とする本発明において、施解錠操作がダイヤル操作だけで行うことができ、解錠キー等を用意する必要がないために、使い勝手が良好な上に、電源等を要しないために、構造も簡単になる。
【００１２】
ダイヤル錠部７は、
ストッパ８を備えて施解錠位置間をケーブル長方向に移動可能で、施錠位置において前記ロック体５の係止解除位置への移動を規制する拘束体９と、
前記ダイヤル６に形成され、該ダイヤル６が所定の回転位置まで回転した際にストッパ８の通過を許容するストッパ挿通部１０とを有して構成することができ、
この場合、前記拘束体は、施錠位置において接続対象に当接して該接続対象のコンタクトとの接続位置への到達を規制する錠付きケーブル装置を構成すると、使用権限がない者によるコンセント１３等への装着を規制することができる。  
【００１３】
上記錠付きケーブル装置がコンセント１３に接続して使用されるプラグ１１として構成される場合には、
ケーブル１の端部に固定されるプラグ１１に装着されるプラグ用錠装置であって、
プラグ１１を挟み付けてベース体３を形成する一対の分割ケース１２と、
ベース体３の前端部に保持され、コンセント１３に係脱するロック体５と、
ベース体３に外嵌合されて施錠位置と解錠位置との間を前後に移動操作可能で、施錠位置においてロック体５の係止解除位置への移動を規制する拘束体９と、
前記ベース体３に空転可能に外嵌合され、所定の回転角度の場合にのみ拘束体９の解錠位置への移動を許容するダイヤル６と、
ベース体３に固定されてダイヤル６の後方への離脱を規制する底壁部材１４と、
を有するプラグ用錠装置が使用できる。
【００１４】
このように構成すると、市販のプラグ１１に装着して簡単に施錠機能を付加することができる。
【発明の効果】
【００１５】
本発明によれば、施解錠操作がダイヤル操作だけで行うことができるために使い勝手が向上し、かつ、構造も簡単にすることができる。
【図面の簡単な説明】
【００１６】
【図１】本発明を示す図で、（ａ）は側面図、（ｂ）は正面図である。
【図２】解錠状態を示す図で、（ａ）は断面図、（ｂ）は（ａ）の２Ｂ-２Ｂ線断面図である。
【図３】施錠状態を示す図で、（ａ）は断面図、（ｂ）は図２（ｂ）に対応する断面図である。
【発明を実施するための形態】
【００１７】
図１以下に本発明の実施の形態を示す。この実施の形態において、錠付きケーブル装置は、ケーブル１の端部に固定される市販のプラグ１１にプラグ用錠装置を装着して形成され、この錠付きケーブル装置の接続相手となるコンセント１３には、連結補助具１５が配置される。
【００１８】
連結補助具１５は、固定フランジ１５ａの中心部に連結筒部１５ｂを突設して形成され、固定フランジ１５ａにおいてコンセント１３、あるいは家屋壁面に固定される。連結筒部１５ｂはコンセント１３のプラグ差し込み口１３ａを包囲するように配置され、外周壁を半球状に窪ませて被係止部４が形成される。なお、図２、３においては、コンセント１３に配置されるコンタクトは図示を省略する。
【００１９】
１２は上記プラグ１１、およびケーブル１の連結部近傍を左右から挟み付けてベース体３を形成する分割ケースであり、前端部に上記連結筒部１５ｂに嵌合可能な嵌合突部３ａが突設される。また、ベース体３には、嵌合突部３ａを囲むようにしてロック保持筒３ｂが突設され、嵌合突部３ａとロック保持筒３ｂとの間には、連結筒部１５ｂが嵌合可能な嵌合スペース３ｃが形成される。
【００２０】
さらに、ロック保持筒３ｂにはロック体５が係脱位置間を移動自在に保持するロック保持部３ｄが形成される。ロック体５が球体により形成されるこの実施の形態において、ロック保持部３ｄはロック体５を嵌合スペース３ｃへの脱落を防止して保持する孔として形成される。
【００２１】
図１（ｂ）に示すように、ロック体５は、ベース体３の周方向に適宜間隔で複数個（本実施の形態においては６個）配置される。各ロック体５は、図２（ａ）に上半分に示すように、嵌合スペース３ｃ内に突出する係止位置と、図２（ａ）において下半分に示すように、嵌合スペース３ｃから待避した係止解除位置間を移動できる。
【００２２】
上記連結補助具１５に形成される被係止部４は、これら各ロック体５に対応する位置に配置され、嵌合突部３ａを連結筒部１５ｂに嵌合した状態で、図３に示すように、ロック体５が係止位置に移動することにより被係止部４に係止する。
【００２３】
なお、本実施の形態において、ロック体５は球体により形成される場合が示されているが、先端にフック部を備えたレバー形状に形成する等、適宜の変形が可能であり、レバー形状に形成する場合、ロック保持部３ｄはレバーを揺動自在に軸支するヒンジとして形成され、被係止部４は、レバーのフック部が係脱する凹部として形成される。
【００２４】
施錠状態において上記ロック体５を係止位置に保持するために、ベース体３にはダイヤル錠部７が装着される。ダイヤル錠部７は、上記ベース体３に外嵌合される拘束体９と、ダイヤル６とを有して構成される。
【００２５】
拘束体９は、ロック保持筒３ｂに外嵌合され、図２に示す解錠位置と、図３に示すように、解錠位置から前方に移動した施錠位置間を移動操作される。拘束体９の前方への脱離を規制するために、ロック保持筒３ｂには止め輪１６が装着される。
【００２６】
上記拘束体９は、圧縮スプリング１７により施錠位置側に付勢されており、嵌合突部３ａを連結筒部１５ｂに嵌合させた状態で拘束体９は、図３（ａ）に示すように、付勢力により施錠状態に保持され、ロック体５の係止解除位置への移動を規制する。
【００２７】
また、拘束体９の前端部内周壁面には、ロック体５の係止解除位置への移動を許容するロック体待避凹部９ａが形成され、図２（ａ）に示すように、拘束体９を圧縮スプリング１７の付勢力に抗して解錠位置にスライドさせると、ロック体５の待避場所が提供される。
【００２８】
図２に示すように、上記ダイヤル６は、上記拘束体９の後方に適数個（本実施の形態では４個）軸長方向に並べて配置される。ベース体３の後端から挿入して装着されるダイヤル６の後方への脱離を防止するために、ベース体３の後端には、底壁部材１４が固定される。
【００２９】
各ダイヤル６の外周壁面には、図１（ａ）に示すように、利用者が回転位置を知るための符号が付され、さらに、ダイヤル６のベース体３との回転境界部には、所定ピッチ角度でダイヤル６に節度感を持たせるためのクリック機構１８が構成される。
【００３０】
図２（ｂ）に示すように、クリック機構１８は、各ダイヤル６の内周壁面に形成される符号の数に合致する数量のクリック凹部１８ａと、ベース体３に配置されるクリックピン１８ｂとを有する。クリックピン１８ｂは圧縮スプリング１８ｃにより突出方向に付勢されており、ダイヤル６が所定のクリック付与角度まで回転操作されると、クリックピン１８ｂがクリック凹部１８ａに落ち込んでクリック感が与えられる。
【００３１】
さらに、ダイヤル６とベース体３との回転境界部には、軸長方向に長いストッパ杆１９が配置される。ストッパ杆１９と底壁部材１４との間には圧縮スプリング２０が介装され、ストッパ杆１９を前方に付勢する。また、ストッパ杆１９の前端には、拘束体９の後端面に当接し、拘束体９への後方への操作力を伝達するための連結ピン２１が立設される。
【００３２】
上記ストッパ杆１９にはダイヤル６のピッチに合致するピッチでストッパ８が膨隆され、ダイヤル６の内周壁の一カ所にストッパ挿通部１０が切り欠かれる。
【００３３】
図３（ｂ）に示すように、施錠状態においてストッパ挿通部１０はストッパ８に対応していないために、ストッパ杆１９の後方への移動が規制され、結果、拘束体９は施錠位置に保持され、ロック体５の係止解除位置への移動が規制される。この状態から図２（ｂ）に示すように、ダイヤル６を予め定められた回転位置まで回転すると、ストッパ８とストッパ挿通部１０とが一致し、ストッパ杆１９の後方への移動操作が可能になる。
【００３４】
したがってこの実施の形態において、施錠状態において、ロック体５は係止解除位置への移動を拘束体９により規制され、さらに、拘束体９はダイヤル６により施錠位置からの移動を規制されるために、ケーブル１をコンセント１３から取り外すことができない。また、コンセント１３に装着しない状態でダイヤル錠部７を施錠状態にしておくと、拘束体９が邪魔してコンタクト２がコンセント１３側のコンタクト２に接続される接続位置まで移動することができないために、使用権限を有しない者によるケーブル１の使用も不可能になる。
【００３５】
この状態でダイヤル錠部７を解錠状態にし、さらに拘束体９を後退させると、ロック体５の係止解除位置への移動が可能になり、この状態で引き抜き力を作用させると、ロック体５は被係止から受ける分力によって係止解除位置に移動し、コンセント１３から抜去される。
【符号の説明】
【００３６】
１        ケーブル
２        コンタクト
３        ベース体
４        被係止部
５        ロック体
６        ダイヤル
７        ダイヤル錠部
８        ストッパ
９        拘束体
１０      ストッパ挿通部
１１      プラグ
１２      分割ケース
１３      コンセント
１４      底壁部材
【図１】
2010160974.tif 000003
【図２】
2010160974.tif 000004
【図３】
2010160974.tif 000005